(57)【要約】【課題】液晶パネルを備える電子機器を小型化する。【解決手段】受信インタフェース回路１０は、色ごとの輝度信号およびクロック信号をそれぞれ入力信号として受ける。タイミング制御部１２は、受信インタフェース回路１０が受信した輝度信号を受け、そのタイミングおよびフォーマットをドライバに適合するように制御する。送信インタフェース回路１４は、タイミングコントローラＩＣ１００により生成された信号を、ドライバに対して送信する。タイミングコントローラＩＣ１００は長方形のパッケージに内蔵される。受信インタフェース回路１０は、パッケージの第１の短辺Ｓ１側に配置され、送信インタフェース回路１４は、パッケージの第２の短辺Ｓ２側に配置される。画像データは第１の短辺Ｓ１側の入力端子から入力され、送信インタフェース回路１４の出力信号は、第２の短辺Ｓ２側の出力端子から出力される。【選択図】図２
2010091686.tif 000002
【特許請求の範囲】
【請求項１】
液晶パネルに出力すべき画像データを受け、前記液晶パネルのドライバへと出力するタイミングコントロール回路であって、
色ごとの輝度信号およびクロック信号をそれぞれ入力信号として受ける受信インタフェース回路と、
前記受信インタフェース回路が受信した前記輝度信号を受け、そのタイミングおよびフォーマットを前記ドライバに適合するように制御するタイミング制御部と、
前記タイミングコントロール回路により生成された信号を、前記ドライバに対して送信する送信インタフェース回路と、
を備え、長方形のパッケージに内蔵されており、
前記受信インタフェース回路は、前記パッケージの第１の短辺側に配置され、前記送信インタフェース回路は、前記パッケージの前記第１の短辺と反対の第２の短辺側に配置され、画像データが前記パッケージの前記第１の短辺側の入力端子から入力され、前記送信インタフェース回路の出力信号が、前記パッケージの前記第２の短辺側の出力端子から出力されることを特徴とするタイミングコントロール回路。
【請求項２】
液晶パネルと、
前記液晶パネルを駆動するゲートドライバおよびソースドライバと、
前記液晶パネルの一辺に沿って配置されたプリント基板と、
前記プリント基板上に実装され、前記液晶パネルに表示すべき画像データを伝送するためのケーブルが着脱されるコネクタと、
前記プリント基板上に実装される請求項１に記載のタイミングコントロール回路と、
前記プリント基板上に形成され、前記コネクタと前記タイミングコントロール回路の前記第１の短辺側の入力端子の間を接続する入力バスと、
前記プリント基板上に形成され、前記タイミングコントロール回路の前記第２の短辺側の出力端子と前記ゲートドライバおよび前記ソースドライバそれぞれの間を接続する出力バスと、
を備え、
前記入力バスは、前記プリント基板上の前記第１の短辺側に形成され、前記出力バスは、前記プリント基板上の前記第２の短辺側に形成されることを特徴とする表示装置。
【請求項３】
可動機構で接続される第１筐体と第２筐体を備え、
前記第１筐体は、
液晶パネルに表示すべき画像データを生成するプロセッサと、
前記画像データを送信する送信回路と、
を含み、
前記第２筐体は、
液晶パネルと、
前記液晶パネルを駆動するゲートドライバおよびソースドライバと、
前記液晶パネルの一辺に沿って配置されたプリント基板と、
前記プリント基板上に実装され、前記液晶パネルに表示すべき画像データを伝送するためのケーブルが着脱されるコネクタと、
前記プリント基板上に実装される請求項１に記載のタイミングコントロール回路と、
前記プリント基板上に形成され、前記コネクタと前記タイミングコントロール回路の前記第１の短辺側に設けられた受信インタフェース回路の間を接続する入力バスと、
前記プリント基板上に形成され、前記タイミングコントロール回路の前記第２の短辺側に設けられた送信インタフェース回路と、前記ゲートドライバおよび前記ソースドライバそれぞれの間を接続する出力バスと、
を備え、
前記入力バスは、前記プリント基板上の前記第１の短辺側に形成され、前記出力バスは、前記プリント基板上の前記第２の短辺側に形成されることを特徴とする電子機器。
【発明の詳細な説明】
【技術分野】
【０００１】
本発明は、液晶パネルのドライバに駆動信号を供給するタイミングコントロール回路に関する。
【背景技術】
【０００２】
一般的なラップトップ型ＰＣ（Personal Computer）は、プロセッサが搭載される筐体と、液晶パネルが搭載される筐体を備え、それらがヒンジなどの可動機構を介して接続されている。図１（ａ）、（ｂ）は、一般的なラップトップ型ＰＣの構成を示す図である。なお、各図に示される部材の大きさや形状は適宜拡大縮小されている。ＰＣ３００は、ヒンジ構造などで接続された第１筐体３１０と第２筐体３２０を備える。第１筐体３１０側には、画像データを生成するプロセッサ（グラフィックチップ）３１２に加えて、図示しないキーボードやＣＰＵ(Central Processing Unit)、ＵＳＢ(Universal Serial Bus)インタフェースなどが搭載される。第２筐体３２０側には、液晶パネル３２２、ゲートドライバ３２４、ソースドライバ３２６、図示しないバックライトやその駆動回路（インバータ）などが搭載される。
【０００３】
プロセッサ３１２により生成された画像データは、送信チップ３１４によって、ヒンジなどの可動機構３３０の内部に設けられたＦＰＣ（フレキシブルプリント基板）上のバスを介して第２筐体３２０側へと送信される。第２筐体３２０には、送信チップ３１４からの画像データを受信し、タイミングを制御するとともに、ゲートドライバおよびソースドライバに適したデータ形式に変換するタイミングコントローラＩＣ３２８が設けられる。
【特許文献１】特開平６−２７３７８８号公報
【特許文献２】特開２００３−１７３１５０号公報
【発明の開示】
【発明が解決しようとする課題】
【０００４】
図１（ｂ）に示すように、タイミングコントローラＩＣ３２８は、プリント基板３２９上に実装されている。プリント基板３２９には、タイミングコントローラＩＣ３２８の周辺回路部品が実装され、それに加えて入力側の配線（バス）ＢＵＳ１と、出力側のバスＢＵＳ２が形成される。出力バスＢＵＳ１はコネクタ３２５を介して、送信チップ３１４からの画像データを受け取る。従来、送信チップ３１４からのデータは、液晶パネル３２２と反対側の一辺から入力され、液晶パネル３２２側から出力される構成となっていた。したがって、バスＢＵＳ１、ＢＵＳ２および回路部品の実装領域３２７の影響により、プリント基板３２９の幅ｄが大きくなっていた。プリント基板３２９が大きくなると、第２筐体３２０の大きな部分を占有し、第２筐体３２０の小型化を妨げる要因となっていた。かかる問題は、ラップトップ型ＰＣ以外の電子機器においても生じうる。
【０００５】
本発明は係る課題に鑑みてなされたものであり、その例示的な目的のひとつは、液晶パネルを備える機器の小型化にある。
【課題を解決するための手段】
【０００６】
本発明のある態様は、液晶パネルに出力すべき画像データを受け、液晶パネルのドライバへと出力するタイミングコントロール回路に関する。このタイミングコントロール回路は、色ごとの輝度信号およびクロック信号をそれぞれ入力信号として受ける受信インタフェース回路と、受信インタフェース回路が受信した輝度信号を受け、そのタイミングおよびフォーマットをドライバに適合するように制御するタイミング制御部と、タイミングコントロール回路により生成された信号を、ドライバに対して送信する送信インタフェース回路と、を備え、長方形のパッケージに内蔵される。受信インタフェース回路は、パッケージの第１の短辺側に配置され、送信インタフェース回路は、パッケージの第１の短辺と反対の第２の短辺側に配置される。画像データは、パッケージの第１の短辺側の入力端子から入力され、送信インタフェース回路の出力信号は、パッケージの第２の短辺側の出力端子から出力される。
【０００７】
この態様によると、画像データは、長方形の第１の短辺から入力され、その内部を通過して反対側の第２の短辺から出力される。したがって、長辺側からドライバに対するデータを伝送するためのバスを引き出さずに済むため、半導体装置が実装される基板の幅を狭くすることができ、これにより電子機器を小型化できる。
【０００８】
本発明の別の態様は、表示装置である。この装置は、液晶パネルと、液晶パネルを駆動するゲートドライバおよびソースドライバと、液晶パネルの一辺に沿って配置されたプリント基板と、プリント基板上に実装され、液晶パネルに表示すべき画像データを伝送するためのケーブルが着脱されるコネクタと、プリント基板上に実装される上述のタイミングコントロール回路と、プリント基板上に形成され、コネクタとタイミングコントロール回路の第１の短辺側の入力端子の間を接続する入力バスと、プリント基板上に形成され、タイミングコントロール回路の第２の短辺側の出力端子とゲートドライバおよびソースドライバそれぞれの間を接続する出力バスと、を備える。入力バスは、プリント基板上の第１の短辺側に形成され、出力バスは、プリント基板上の第２の短辺側に形成される。
【０００９】
本発明のさらに別の態様は、電子機器である。この電子機器は、可動機構で接続される第１筐体と第２筐体を備える。第１筐体は、液晶パネルに表示すべき画像データを生成するプロセッサと、画像データを送信する送信回路と、を含む。第２筐体は、液晶パネルと、液晶パネルを駆動するゲートドライバおよびソースドライバと、液晶パネルの一辺に沿って配置されたプリント基板と、プリント基板上に実装され、液晶パネルに表示すべき画像データを伝送するためのケーブルが着脱されるコネクタと、プリント基板上に実装される上述のタイミングコントロール回路と、プリント基板上に形成され、コネクタとタイミングコントロール回路の第１の短辺側の入力端子の間を接続する入力バスと、プリント基板上に形成され、タイミングコントロール回路の第２の短辺側の出力端子とゲートドライバおよびソースドライバそれぞれの間を接続する出力バスと、を含む。入力バスは、プリント基板上の第１の短辺側に形成され、出力バスは、プリント基板上の第２の短辺側に形成される。
【００１０】
なお、以上の構成要素の任意の組合せや本発明の構成要素や表現を、装置、システムなどの間で相互に置換したものもまた、本発明の態様として有効である。
【発明の効果】
【００１１】
本発明のある態様のタイミングコントロール回路によれば、電子機器を小型化できる。
【発明を実施するための最良の形態】
【００１２】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１３】
図２は、実施の形態に係るタイミングコントローラＩＣ（制御ＩＣともいう）１００およびその周辺を示す図である。このタイミングコントローラＩＣ１００は、図１のタイミングコントローラＩＣ３２８と同様の機能を有しているため、機能に関する説明は簡略化する。
【００１４】
タイミングコントローラＩＣ１００は、液晶パネル（不図示）に出力すべき画像データをプロセッサから受け、必要に応じて所定の信号処理、たとえばスケーリング処理やインタレース化、非インタレース化処理を施し、複数のゲートドライバおよび複数のソースドライバに、適切なタイミングで駆動信号を出力する。
【００１５】
タイミングコントローラＩＣ１００は、受信インタフェース回路１０、タイミング制御部１２、送信インタフェース回路１４を備え、長方形のパッケージに内蔵されている。好ましくはタイミングコントローラＩＣ１００はＢＧＡ(Ball Grid Array)構造を有しており、その裏面にマトリクス状に配置された裏面電極（端子）を備えている。
【００１６】
受信インタフェース回路１０は、プロセッサから、色ごとの輝度信号およびクロック信号をそれぞれ入力信号として受ける。入力信号は、ＬＶＤＳ（Low Voltage Differential Signaling）をはじめとする差動信号形式で入力される。
【００１７】
タイミング制御部１２は、受信インタフェース回路１０が受信した輝度信号を受け、そのタイミングおよびフォーマットを、複数のソースドライバ（不図示）および複数のゲートドライバ（不図示）に適合するように制御する。
【００１８】
送信インタフェース回路１４は、タイミング制御部１２により生成された信号を、ゲートドライバおよびソースドライバに対して送信する。
【００１９】
受信インタフェース回路１０は、パッケージの第１の短辺Ｓ１側に配置され、送信インタフェース回路１４は、パッケージの第１の短辺と反対の第２の短辺Ｓ２側に配置される。プロセッサからの画像データは、パッケージの第１の短辺Ｓ１側の端子から入力される。この画像データは、プリント基板２０の内部を横方向に伝搬し、送信インタフェース回路１４の出力信号は、パッケージの第２の短辺Ｓ２側の端子から出力される。
【００２０】
タイミングコントローラＩＣ１００は、プリント基板２０上に実装される。このプリント基板２０は、液晶パネル（不図示）の一辺に沿って、その近傍に配置される。コネクタ２６は、プリント基板２０上に実装され、液晶パネルに表示すべき画像データを伝送するためのケーブルが着脱される。コネクタ２６は、プリント基板２０の外周部にタイミングコントローラＩＣ１００の第１の短辺Ｓ１と平行に設けられる。
【００２１】
入力バス２４は、プリント基板２０上に形成され、コネクタ２６とタイミングコントローラＩＣ１００の第１の短辺Ｓ１側に設けられた入力端子（裏面電極）の間を接続する。
【００２２】
コネクタ２６はタイミングコントローラＩＣ１００の長辺と平行に設けられてもよい。この場合、入力バス２４は、Ｌ字型に折れ曲がるように形成される。
【００２３】
出力バス２２ａ、２２ｂ、・・・は、プリント基板２０上に形成され、タイミングコントローラＩＣ１００の第２の短辺Ｓ２側の出力端子とゲートドライバおよびソースドライバそれぞれの間を接続する。各出力バス２２ａ、２２ｂ・・・は、複数の配線を含んでいる。出力バス２２は、出力先のゲートドライバおよびソースドライバの個数に応じた本数だけ設けられる。
【００２４】
入力バス２４は、プリント基板２０上の第１の短辺Ｓ１と隣接する領域に形成され、出力バス２２は、プリント基板２０上の第２の短辺Ｓ２と隣接する領域に形成される。
【００２５】
タイミングコントローラＩＣ１００の周辺回路部品は、第１の短辺Ｓ１と隣接する領域２８に実装される。
【００２６】
以上が実施の形態に係るタイミングコントローラＩＣ１００の周辺の構成である。実施の形態に係るタイミングコントローラＩＣ１００によれば、画像データが第１の短辺Ｓ１側から入力され、第２の短辺Ｓ２側から出力される。したがってタイミングコントローラＩＣ１００の長辺側に引き出される配線をプリント基板２０上に形成しなくてよいため、もしくはその数を減らすことができるため、プリント基板２０の幅を図１（ｂ）に示す従来のプリント基板３２９に比べて狭めることができる。
【００２７】
たとえば図１（ｂ）において、入力バスＢＵＳ１が１０本の配線を含み、出力バスＢＵＳ２がそれぞれ１０本の配線を含むと仮定する。さらに、各配線の幅が０．１ｍｍ、配線間隔が０．１ｍｍと仮定すると、タイミングコントローラＩＣ３２８の入力側には、配線が占める領域として、１０×０．１ｍｍ、配線間のスペースが占める領域として（１０−１）×０．１ｍｍ、合計として
ｄ２＝１０×０．１ｍｍ＋９×０．１ｍｍ＝１．９ｍｍ
の幅のスペースが必要となる。出力側にも同様に、幅ｄ３＝１．９ｍｍのスペースが必要となる。したがってプリント基板３２９の幅は、タイミングコントローラＩＣ３２８の幅よりも、３．８ｍｍ以上広くなってしまう。
【００２８】
これに対して図２のタイミングコントローラＩＣ１００によれば、タイミングコントローラＩＣ１００の短辺から、横方向に入力バス２４および出力バス２２を引き出すため、縦方向に引き出される配線のいくつかが不要となり、プリント基板２０の幅ｄを、タイミングコントローラＩＣ１００の幅ｄ１に近づけることができ、図１（ｂ）に比べて、３．８ｍｍ狭めることができる。プリント基板２０の面積が削減されることにより、プリント基板２０が実装されるセットを小型化することができ、またプリント基板２０のコストを下げることが可能となる。
【００２９】
図３（ａ）、（ｂ）はそれぞれ、図２のタイミングコントローラＩＣ１００を利用した表示装置および電子機器の構成を示す図である。
【００３０】
図３（ａ）の表示装置４０は、液晶ディスプレイや液晶テレビである。表示装置４０は、液晶パネル３２２と、液晶パネル３２２を駆動するゲートドライバ３２４およびソースドライバ３２６と、液晶パネル３２２の一辺に沿って配置されたプリント基板２０と、を備える。プリント基板２０上には、液晶パネル３２２に表示すべき画像データＧＤを伝送するケーブルが着脱されるコネクタ２６が設けられる。またプリント基板２０上には、図２のタイミングコントローラＩＣ１００が実装される。
【００３１】
プリント基板２０は、液晶パネル３２２のいずれかの一辺に沿って配置される。図３（ａ）のように、プリント基板２０を液晶パネル３２２の下側に配置した場合、プリント基板２０の幅ｄが短くなった分、表示装置４０の筐体の高さＨを小さくできる。プリント基板２０を液晶パネル３２２の左右いずれかの辺に沿って配置した場合、プリント基板２０の幅ｄが短くなった分、表示装置４０の筐体の幅Ｗを小さくできる。
【００３２】
図３（ｂ）の電子機器５０は、たとえばラップトップ型（ノート型）のＰＣである。電子機器５０は、可動機構３３０で接続される第１筐体３１０と第２筐体３２０を備える。図３（ｂ）の電子機器５０は、図１（ａ）のＰＣ３００と基本的に同様に構成される。
【００３３】
図３（ｂ）の電子機器５０によれば、プリント基板２０の幅ｄが図１（ｂ）のプリント基板３２９のそれより狭まったことにより、第２筐体３２０を小型化することができる。
【００３４】
実施の形態にもとづき、本発明を説明したが、実施の形態は、本発明の原理、応用を示しているにすぎず、実施の形態には、請求の範囲に規定された本発明の思想を離脱しない範囲において、多くの変形例や配置の変更が可能である。
【図面の簡単な説明】
【００３５】
【図１】図１（ａ）、（ｂ）は、一般的なラップトップ型ＰＣの構成を示す図である。
【図２】実施の形態に係るタイミングコントローラＩＣおよびその周辺を示す図である。
【図３】図３（ａ）、（ｂ）はそれぞれ、図２のタイミングコントローラＩＣを利用した表示装置および電子機器の構成を示す図である。
【符号の説明】
【００３６】
１００…タイミングコントローラＩＣ、１０…受信インタフェース回路、１２…タイミング制御部、１４…送信インタフェース回路、２０…プリント基板、２２…出力バス、２４…入力バス、２６…コネクタ、２８…チップ部品実装領域、Ｓ１…第１の短辺、Ｓ２…第２の短辺、４０…表示装置、５０…電子機器。
【図１】
2010091686.tif 000003
【図２】
2010091686.tif 000004
【図３】
2010091686.tif 000005